(57)【要約】  【課題】  配線部品との接合用の半田に亀裂が生じることを抑制することができるフレキシブル配線部品を提供する。  【解決手段】  フレキシブルプリント配線基板１０は、フレキシブルプリント配線基板２０に形成された接点パターン２１ａに対応して接点パターン１１ａが端部１２に形成され、接点パターン１１ａが形成された面１３がフレキシブルプリント配線基板２０側とは反対側になる状態でフレキシブルプリント配線基板２０のうち接点パターン２１ａが形成された面２３上に重ねられて接点パターン２１ａと接点パターン１１ａとに跨って半田３０でフレキシブルプリント配線基板２０と接合されることによって、接点パターン１１ａが接点パターン２１ａと電気的に接続され、接点パターン１１ａは、厚み方向と直交する方向において端面１１ｂの傾きが変化していることを特徴とする。【選択図】  図１
2008311560.tif 000002
【特許請求の範囲】
【請求項１】
配線部品に形成された一方の接点パターンに対応して他方の接点パターンが端部に形成され、前記他方の接点パターンが形成された面が前記配線部品側とは反対側になる状態で前記配線部品のうち前記一方の接点パターンが形成された面上に重ねられて前記一方の接点パターンと前記他方の接点パターンとに跨って半田で前記配線部品と接合されることによって、前記他方の接点パターンが前記一方の接点パターンと電気的に接続されるフレキシブル配線部品において、
前記他方の接点パターンは、厚み方向と直交する方向において端面の傾きが変化していることを特徴とするフレキシブル配線部品。
【請求項２】
前記他方の接点パターンは、厚み方向と直交する方向において前記端面が内部に凹んでいることを特徴とする請求項１に記載のフレキシブル配線部品。
【請求項３】
前記フレキシブル配線部品は、前記他方の接点パターンを複数有し、
複数の前記他方の接点パターンは、それぞれ少なくとも前記端部側が同一幅で直線状に並設されていることを特徴とする請求項１または請求項２に記載のフレキシブル配線部品。
【請求項４】
前記フレキシブル配線部品は、前記他方の接点パターンを複数有し、
複数の前記他方の接点パターンは、前記端面が同一形状に形成されていることを特徴とする請求項１から請求項３までの何れかに記載のフレキシブル配線部品。
【発明の詳細な説明】
【技術分野】
【０００１】
本発明は、柔軟性がある配線部品であるフレキシブル配線部品に関する。
【背景技術】
【０００２】
プリント基板に形成された一方の接点パターンに対応して他方の接点パターンが一端部に形成され、他方の接点パターンが形成された面がプリント基板側とは反対側になる状態でプリント基板のうち一方の接点パターンが形成された面上に重ねられて一方の接点パターンと他方の接点パターンとに跨って半田でプリント基板と接合されることによって、他方の接点パターンが一方の接点パターンと電気的に接続されるフレキシブルプリント配線板において、フレキシブルプリント配線板をプリント基板から引き剥がす力を分散させるために、フレキシブルプリント配線板に切り欠き部が設けられたものが知られている（例えば、特許文献１参照。）。
【特許文献１】特開２００２−１３４８６０号公報
【発明の開示】
【発明が解決しようとする課題】
【０００３】
しかしながら、切り欠き部を設ける従来の方法においては、フレキシブルプリント配線板の幅が元々小さい場合には、切り欠き部によってフレキシブルプリント配線板の幅が小さくなり過ぎるので、フレキシブルプリント配線板に外力が加わると、プリント基板と、フレキシブルプリント配線板とを接合する半田に応力が集中して却って半田に亀裂が生じるという問題がある。
【０００４】
例えば、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクに対する情報の記録及び再生に用いられる光ヘッド装置に用いられるフレキシブルプリント配線基板は、３ｍｍ〜４ｍｍの幅しかない部分で０．３ｍｍ〜０．４ｍｍ幅の接点パターンに半田によって他のフレキシブルプリント配線基板の０．３ｍｍ〜０．４ｍｍ幅の接点パターンに接合しなければならない場合がある。そのような場合には、切り欠き部を設ける従来の方法は不向きなのである。
【０００５】
本発明は、従来の問題を解決するためになされたもので、配線部品との接合用の半田に亀裂が生じることを抑制することができるフレキシブル配線部品を提供することを目的とする。
【課題を解決するための手段】
【０００６】
本発明のフレキシブル配線部品は、配線部品に形成された一方の接点パターンに対応して他方の接点パターンが端部に形成され、前記他方の接点パターンが形成された面が前記配線部品側とは反対側になる状態で前記配線部品のうち前記一方の接点パターンが形成された面上に重ねられて前記一方の接点パターンと前記他方の接点パターンとに跨って半田で前記配線部品と接合されることによって、前記他方の接点パターンが前記一方の接点パターンと電気的に接続されるフレキシブル配線部品において、前記他方の接点パターンは、厚み方向と直交する方向において端面の傾きが変化していることを特徴とする。
【０００７】
この構成により、本発明のフレキシブル配線部品は、厚み方向と直交する方向において他方の接点パターンの端面の傾きが変化している。換言すれば、本発明のフレキシブル配線部品は、厚み方向と直交する方向において他方の接点パターンの端面が一直線上に無い。したがって、本発明のフレキシブル配線部品は、厚み方向へ持ち上げられるような応力が加えられた場合であっても、配線部品との接合用の半田において、他方の接点パターンの端面の形状に沿って応力が分散するので、配線部品との接合用の半田に亀裂が生じることを抑制することができる。
【０００８】
また、本発明のフレキシブル配線部品の前記他方の接点パターンは、厚み方向と直交する方向において前記端面が内部に凹んでいることが好ましい。
【０００９】
この構成により、本発明のフレキシブル配線部品は、厚み方向と直交する方向において他方の接点パターンの端面が外部に突出している構成と比較して、厚み方向へ持ち上げられるような応力が加えられた場合であっても、他方の接点パターンの端面の形状に沿って応力が分散する。従って、配線部品との接合用の半田に亀裂が生じることを抑制することができる。
【００１０】
また、本発明のフレキシブル配線部品は、前記他方の接点パターンを複数有し、複数の前記他方の接点パターンは、それぞれ少なくとも前記端部側が同一幅で直線状に並設されていることが好ましい。
【００１１】
この構成により、本発明のフレキシブル配線部品は、他方の接点パターンの幅方向に小型化することができる。
【００１２】
また、本発明のフレキシブル配線部品は、前記他方の接点パターンを複数有し、複数の前記他方の接点パターンは、前記端面が同一形状に形成されていることが好ましい。
【００１３】
この構成により、本発明のフレキシブル配線部品は、配線部品との接合用の半田に加わる応力の分散に関して複数の他方の接点パターンの間でばらつきがないので、配線部品との接合用の半田に生じる亀裂に関しても複数の他方の接点パターンの間でばらつきがなく、品質を安定化することができる。
【発明の効果】
【００１４】
本発明によれば、配線部品との接合用の半田に亀裂が生じることを抑制することができるフレキシブル配線部品を提供することができる。
【発明を実施するための最良の形態】
【００１５】
以下、本発明の一実施の形態について、図面を用いて説明する。
【００１６】
まず、本実施の形態に係るフレキシブル配線部品の構成について説明する。
【００１７】
図１は、本実施の形態に係るフレキシブル配線部品であるフレキシブルプリント配線基板（ＦＰＣ）１０の平面図であって、他の配線部品であるフレキシブルプリント配線基板２０に半田３０によって接合されている状態での図である。図２は、フレキシブルプリント配線基板１０の側面図であって、フレキシブルプリント配線基板２０に半田３０によって接合されている状態での図である。
【００１８】
図１及び図２に示すように、フレキシブルプリント配線基板２０は、配線パターン２１が３本形成されている。配線パターン２１は、端部２２において絶縁体で覆われていない一方の接点パターンとしての接点パターン２１ａが形成されており、接点パターン２１ａ以外の部分が絶縁体で覆われている。３つの接点パターン２１ａは、同一幅で直線状に並設されている。
【００１９】
フレキシブルプリント配線基板１０は、配線パターン１１が３本形成されている。配線パターン１１は、端部１２において絶縁体で覆われていない他方の接点パターンとしての接点パターン１１ａが形成されており、接点パターン１１ａ以外の部分が絶縁体で覆われている。接点パターン１１ａは、フレキシブルプリント配線基板２０の接点パターン２１ａに対応して形成されている。３つの接点パターン１１ａは、同一幅で直線状に並設されている。また、接点パターン１１ａは、矢印４０ａで示す厚み方向と直交する方向において端面１１ｂが同一形状に内部に凹んでいる。
【００２０】
フレキシブルプリント配線基板１０は、接点パターン１１ａが形成された面１３がフレキシブルプリント配線基板２０側とは反対側になる状態で、フレキシブルプリント配線基板２０のうち接点パターン２１ａが形成された面２３上に重ねられている。また、フレキシブルプリント配線基板１０は、接点パターン１１ａと、フレキシブルプリント配線基板２０の接点パターン２１ａとに跨って半田３０で接合されることによって、接点パターン１１ａがフレキシブルプリント配線基板２０の接点パターン２１ａと電気的に接続されている。
【００２１】
次に、フレキシブルプリント配線基板１０と、フレキシブルプリント配線基板２０との接合工程について説明する。
【００２２】
図３は、フレキシブルプリント配線基板１０の平面図であって、フレキシブルプリント配線基板２０に重ねられる前の状態での図である。図４は、フレキシブルプリント配線基板１０の平面図であって、フレキシブルプリント配線基板２０に重ねられた状態での図である。
【００２３】
図３に示すフレキシブルプリント配線基板１０は、図４に示すように、面１３がフレキシブルプリント配線基板２０側とは反対側になる状態でフレキシブルプリント配線基板２０の面２３上に重ねる。すなわち、接点パターン１１ａは、フレキシブルプリント配線基板２０の接点パターン２１ａに対応して形成されているため、接点パターン１１ａと、接点パターン２１ａとの位置が一致するようにしてフレキシブルプリント配線基板１０をフレキシブルプリント配線基板２０の面２３上に重ねる。
【００２４】
そして、図１及び図２に示すように、半田３０は、フレキシブルプリント配線基板１０の接点パターン１１ａと、フレキシブルプリント配線基板２０の接点パターン２１ａとに跨るように盛られることによって、フレキシブルプリント配線基板１０と、フレキシブルプリント配線基板２０とを接合するとともに、フレキシブルプリント配線基板１０の接点パターン１１ａと、フレキシブルプリント配線基板２０の接点パターン２１ａとを電気的に接続する。
【００２５】
次に、フレキシブルプリント配線基板１０と、フレキシブルプリント配線基板２０との半田３０による接合部分に応力が加わったときの作用について説明する。
【００２６】
図５は、フレキシブルプリント配線基板１０の側面図であって、フレキシブルプリント配線基板２０との半田３０による接合部分にフレキシブル配線基板１０を厚み方向から持ち上げるような応力が加わっている状態での図である。
【００２７】
矢印４０ａで示す厚み方向と直交する方向においてフレキシブルプリント配線基板１０の接点パターン１１ａ（図１参照。）の端面１１ｂの傾きが変化しているので、図５に示すようにフレキシブルプリント配線基板１０と、フレキシブルプリント配線基板２０との半田３０による接合部分にフレキシブル配線基板１０を厚み方向から持ち上げるような応力が加わったとき、フレキシブルプリント配線基板１０と、フレキシブルプリント配線基板２０との半田３０による接合部分に加わった応力は、フレキシブルプリント配線基板１０の接点パターン１１ａの端面１１ｂの形状に沿って分散される。したがって、フレキシブルプリント配線基板１０と、フレキシブルプリント配線基板２０との半田３０による接合部分には、亀裂が生じ難い。
さらに、接点パターン１１ａの延在方向に支点が延在するようにフレキシブル配線基板１０を厚み方向から持ち上げるような応力が働いた場合であっても、フレキシブルプリント配線基板１０の接点パターン１１ａの端面１１ｂの形状に沿って分散される。したがって、フレキシブルプリント配線基板１０と、フレキシブルプリント配線基板２０との半田３０による接合部分には、亀裂が生じ難い。
【００２８】
以上に説明したように、フレキシブルプリント配線基板１０は、矢印４０ａで示す厚み方向と直交する方向において接点パターン１１ａの端面１１ｂが一直線上に無いので、フレキシブルプリント配線基板２０との接合用の半田３０において、複数の接点パターン１１ａの並設方向に支点が延在するようにフレキシブル配線基板１０を厚み方向（図５の矢示４０ｂで示す方向）から持ち上げるような応力が加わった場合であっても、接点パターン１１ａの延在方向に支点が延在するようにフレキシブル配線基板１０を厚み方向から持ち上げるような応力が働いた場合であっても、接点パターン１１ａの端面１１ｂの形状に沿って応力が分散する。したがって、フレキシブルプリント配線基板１０は、フレキシブルプリント配線基板２０との接合用の半田３０に亀裂が生じることを抑制することができる。
【００２９】
そのため、例えば、フレキシブルプリント配線基板１０が光ヘッド装置に用いられるフレキシブルプリント配線基板であって３ｍｍ〜４ｍｍの幅しかない部分で０．３ｍｍ〜０．４ｍｍ幅の接点パターンに半田３０によってフレキシブルプリント配線基板２０の０．３ｍｍ〜０．４ｍｍ幅の接点パターンに接合される場合であっても、フレキシブルプリント配線基板１０と、フレキシブルプリント配線基板２０とが従来より強固に接合され、光ヘッド装置の動作が従来より安定化する。
【００３０】
また、フレキシブルプリント配線基板１０の接点パターン１１ａは、矢印４０ａ（図２参照。）で示す厚み方向と直交する方向において端面１１ｂが凹んでいるので、図６に示すように矢印４０ａ（図２参照。）で示す厚み方向と直交する方向において端面１１ｂが突出している構成と比較して、接点パターン１１ａの延在方向に支点が延在するようにフレキシブル配線基板１０を厚み方向から持ち上げるような応力が働いた場合であっても、接点パターン１１ａの端面１１ｂの形状に沿って応力が分散する。したがって、フレキシブルプリント配線基板１０と、フレキシブルプリント配線基板２０とを接合する半田３０に亀裂が生じることを抑制することができる。
【００３１】
なお、フレキシブルプリント配線基板１０の接点パターン１１ａは、矢印４０ａ（図２参照。）で示す厚み方向と直交する方向において端面１１ｂが図１に示す形状以外の形状で凹んでいても良い。例えば、図７に示すように、端面１１ｂの両端からＶ字状に切り欠かれていても良いし、図８に示すように、端面１１ｂの一部が切り欠かれていても良い。もちろん、フレキシブルプリント配線基板１０の接点パターン１１ａは、端面１１ｂの傾きが変化していれば、例えば図６に示すように矢印４０ａ（図２参照。）で示す厚み方向と直交する方向において端面１１ｂが突出していても良い。
【００３２】
また、フレキシブルプリント配線基板１０は、複数の接点パターン１１ａが同一幅で直線状に並設されているので、接点パターン１１ａの幅方向に小型化することができる。なお、複数の接点パターン１１ａは、それぞれが同一幅で直線状に形成されていれば、個々の幅がばらばらであっても、幅方向に小型化することができる。
【００３３】
なお、接点パターン１１ａが直線上に形成されていると、接点パターン１１ａの延在方向の長さを大きく取ることができるので、接点パターン１１ａに半田３０を厚く盛ることができる。したがって、半田３０に多少の亀裂が生じたとしても、半田３０が完全には切断され難く、フレキシブルプリント配線基板１０の接点パターン１１ａと、フレキシブルプリント配線基板２０の接点パターン２１ａとの電気的な接続が切断され難い。
【００３４】
また、フレキシブルプリント配線基板１０は、複数の接点パターン１１ａの端面１１ｂが同一形状に形成されているので、複数の接点パターン１１ａの間で半田３０に加わる応力の分散にばらつきがない。したがって、フレキシブルプリント配線基板１０は、半田３０に生じる亀裂に関しても複数の接点パターン１１ａの間でばらつきがなく品質を安定化することができる。
【００３５】
なお、本実施の形態においては、本発明のフレキシブル配線部品として、フレキシブルプリント配線基板１０が使用されているが、フレキシブルプリント配線基板以外のフレキシブル配線部品が使用されても良い。例えば、本発明のフレキシブル配線部品として、フレキシブルフラットケーブル（ＦＦＣ）が使用されても良い。
【００３６】
また、本実施の形態においては、本発明の配線部品として、フレキシブルプリント配線基板２０が使用されているが、フレキシブルプリント配線基板以外の配線部品が使用されても良い。例えば、本発明の配線部品として、リジッド基板や、フレキシブルフラットケーブルが使用されても良い。
【図面の簡単な説明】
【００３７】
【図１】本発明の一実施の形態に係るフレキシブルプリント配線基板の平面図であって、他のフレキシブルプリント配線基板に半田によって接合されている状態での図である。
【図２】図１に示すフレキシブルプリント配線基板の側面図であって、他のフレキシブルプリント配線基板に半田によって接合されている状態での図である。
【図３】図１に示すフレキシブルプリント配線基板の平面図であって、他のフレキシブルプリント配線基板に重ねられる前の状態での図である。
【図４】図１に示すフレキシブルプリント配線基板の平面図であって、他のフレキシブルプリント配線基板に重ねられた状態での図である。
【図５】図１に示すフレキシブルプリント配線基板の側面図であって、他のフレキシブルプリント配線基板との接合部分に応力が加わっている状態での図である。
【図６】図１に示すフレキシブルプリント配線基板の平面図であって、図１に示す形状とは異なる形状のフレキシブルプリント配線基板を示す図である。
【図７】図１に示すフレキシブルプリント配線基板の平面図であって、図１および図６に示す形状とは異なる形状のフレキシブルプリント配線基板を示す図である。
【図８】図１に示すフレキシブルプリント配線基板の平面図であって、図１、図６および図７に示す形状とは異なる形状のフレキシブルプリント配線基板を示す図である。
【符号の説明】
【００３８】
１０  フレキシブルプリント配線基板（フレキシブル配線部品）
１１ａ  接点パターン（他方の接点パターン）
１１ｂ  端面
１２  端部
１３  面
２０  フレキシブルプリント配線基板（配線部品）
２１ａ  接点パターン（一方の接点パターン）
２３  面
３０  半田
【図１】
2008311560.tif 000003
【図２】
2008311560.tif 000004
【図３】
2008311560.tif 000005
【図４】
2008311560.tif 000006
【図５】
2008311560.tif 000007
【図６】
2008311560.tif 000008
【図７】
2008311560.tif 000009
【図８】
2008311560.tif 000010